(57)【要約】【課題】電子部品の配置の自由度を高めると共に静電気対策を簡便に行えるようにする。【解決手段】フレキシブル基板１１３の固定部１１６には、カバーレイが剥がされてなる銅箔露出部１１９が形成され、銅箔露出部１１９の銅箔パターンはデジタルカメラ１０１のグランドに接続される。固定部１１６の先端部１１６ａからは腕連結部１４２を介して２本の腕部１２０、１２１が延設形成され、腕部１２０、１２１の先端に半田付け部１１４、１１５が設けられる。銅箔露出部１１９が、スピーカ１１１の金属ケース１１７の下面１１７ａに導電性の両面テープ１１８にて貼り付けられると共に、腕部１２０の半田付け部１１４、腕部１２１の半田付け部１１５が、それぞれ電気端子１２５、１２６に半田付けされる。これにより、固定部１１６がスピーカ１１１に電気的に接続されると共に物理的にも固定される。【選択図】図４
2012255990.tif 000002
【特許請求の範囲】
【請求項１】
開口部を有する外装部材と、
導電性のある筐体と電気端子とを有し、前記外装部材の前記開口部に対応して配設される電子部品と、
前記電気端子に対応する半田付け部を有した腕部と、固定部とを備え、回路基板に電気的に接続されるフレキシブル基板とを有し、
前記フレキシブル基板の前記固定部には、グランドに電気的に接続される導電部が設けられ、
前記フレキシブル基板の前記腕部の前記半田付け部が前記電子部品の前記電気端子に半田付けされることで、前記電子部品と前記回路基板とが電気的に導通し、さらに、前記導電部が、導電性のある貼り付け材を介して前記電子部品の前記筐体に対して貼着されることで、前記固定部が前記電子部品に固定されることを特徴とする電子機器。
【請求項２】
前記腕部は前記固定部から延設されることを特徴とする請求項１記載の電子機器。
【請求項３】
前記腕部は、前記固定部における、前記回路基板に接続される側とは反対の側の端部から延設されることを特徴とする請求項２記載の電子機器。
【請求項４】
前記腕部は、前記フレキシブル基板における、前記導電部よりも前記回路基板に接続される側寄りの位置から延設され、前記腕部の根元から前記貼り付け材までの距離よりも、前記腕部の前記根元から前記半田付け部までの距離の方が長いことを特徴とする請求項１記載の電子機器。
【請求項５】
前記外装部材の内側に配設される保持部材を有し、前記フレキシブル基板には、前記固定部から延びる部分が折り曲げ部で弾性的に折り曲げられることによって前記固定部に対して前記導電部が設けられる面とは反対の側から対向する押し付け部が設けられ、前記外装部材の内側面と前記保持部材との間に、前記外装部材の前記内側面に近い側から順に、弾性部材、前記電子部品、前記固定部及び前記押し付け部が配置され、前記押し付け部が前記保持部材に当接することで、前記折り曲げ部の弾性によって、前記固定部及び前記電子部品を介して前記弾性部材が前記外装部材の前記内側面に押し付けられるようにしたことを特徴とする請求項１乃至４のいずれか１項に記載の電子機器。
【発明の詳細な説明】
【技術分野】
【０００１】
本発明は、電子機器に搭載される電子部品の静電気対策に関する。
【背景技術】
【０００２】
従来、電子機器には各種の電子部品が搭載される。例えば、スピーカやマイク等の音響電子部品を備えるデジタルカメラや携帯電話等の電子機器が広く知られている。スピーカの役割は電子機器の外部に音を発することである。従って、効率よく電子機器の外部に音を発するために、電子機器の外装に開口部を設け、この開口部に対応してスピーカを配置し、開口部を通して電子機器の外部に音を発するという構成が一般的である。
【０００３】
一方で、電子機器は一般に、ある一定以上の静電気耐性が必要とされる。スピーカ正面の外装に開口部が設けられていた場合、その開口部から静電気が侵入し、スピーカに静電気が印加される。印加された静電気を適切に処理しないと、回路基板や電子部品の破壊による電子機器の故障等の障害が起きてしまう。そこで、スピーカに印加された静電気の処理に関して種々の方法が提案されてきた。
【０００４】
例えば、下記特許文献１では、グランドを備える基板上にスピーカを配置し、該基板のグランドと該スピーカとを導電性接着シートで係止する。これにより、静電気対策のための部品の形状の単純化や、静電気対策のための部品と係止部品とを一体化することによる部品点数の削減等を実現できる。
【先行技術文献】
【特許文献】
【０００５】
【特許文献１】特開２００７−２０８８０３号公報
【発明の概要】
【発明が解決しようとする課題】
【０００６】
しかしながら、上記特許文献１に開示された従来技術では、基板とスピーカとを導電性接着シートで貼り付ける構成としているので、スピーカを基板と平行に隣接して配置しなければならない。そのため、電子機器内におけるスピーカの配置の自由度が著しく低いという問題があった。さらに、静電気対策の工程とは別個に、スピーカと基板との電気的接続は導電性線材を用いて行うので、部品点数が多い上、組み立て工程が煩雑になるという問題もあった。
【０００７】
本発明は上記従来技術の問題を解決するためになされたものであり、その目的は、電子部品の配置の自由度を高めると共に静電気対策を簡便に行えるようにすることにある。
【課題を解決するための手段】
【０００８】
上記目的を達成するために本発明は、開口部を有する外装部材と、導電性のある筐体と電気端子とを有し、前記外装部材の前記開口部に対応して配設される電子部品と、前記電気端子に対応する半田付け部を有した腕部と、固定部とを備え、回路基板に電気的に接続されるフレキシブル基板とを有し、前記フレキシブル基板の前記固定部には、グランドに電気的に接続される導電部が設けられ、前記フレキシブル基板の前記腕部の前記半田付け部が前記電子部品の前記電気端子に半田付けされることで、前記電子部品と前記回路基板とが電気的に導通し、さらに、前記導電部が、導電性のある貼り付け材を介して前記電子部品の前記筐体に対して貼着されることで、前記固定部が前記電子部品に固定されることを特徴とする。
【発明の効果】
【０００９】
本発明によれば、電子部品の配置の自由度を高めると共に静電気対策を簡便に行うことができる。
【図面の簡単な説明】
【００１０】
【図１】本発明の第１の実施の形態に係る電子機器をそれぞれ前面、後面が見える角度から見た外観斜視図である。
【図２】デジタルカメラの図１のＡ部の内部構成図である。
【図３】スピーカとフレキシブル基板との接合部の縦断面図である。
【図４】フレキシブル基板が接続されたスピーカの斜視図である。
【図５】スピーカの斜視図、フレキシブル基板の部分斜視図である。
【図６】本発明の第２の実施の形態に係る電子機器におけるフレキシブル基板が接続されたスピーカの斜視図、両面テープを貼り付けた状態のフレキシブル基板の固定部の平面図である。
【図７】本発明の第３の実施の形態に係る電子機器におけるフレキシブル基板が接続されたスピーカの斜視図、スピーカとフレキシブル基板との接合部の縦断面図である。
【発明を実施するための形態】
【００１１】
以下、本発明の実施の形態を図面を参照して説明する。
【００１２】
（第１の実施の形態）
図１（ａ）、（ｂ）はそれぞれ、本発明の第１の実施の形態に係る電子機器を前面、後面が見える角度から見た外観斜視図である。
【００１３】
電子機器としてデジタルカメラ１０１を例にとり、静電気対策を適用する電子部品として、音響電子部品であるスピーカ１１１（図２）を例にとる。デジタルカメラ１０１は、その外装部材１２３に、撮像動作を指示するレリーズボタン１０２、ズーム倍率操作手段１０３、各種モードを設定するモードスイッチ１０４、各種操作を行う操作ボタン１０６を備える。デジタルカメラ１０１はまた、撮影レンズ１０５、光学ファインダー１０７、撮影画像等種々の情報を表示するディスプレイ１０８を備える。デジタルカメラ１０１はさらに、外部機器と通信する不図示の端子を覆う端子カバー１０９、発光により暗い環境下での撮影を可能とするストロボ１３０等の部材を備える。
【００１４】
外装部材１２３の上部には、デジタルカメラ１０１の外部にスピーカ１１１からの音を効率よく発するために、複数の穴からなる開口部１１０が設けられる。
【００１５】
図２は、図１のデジタルカメラ１０１のＡ部の内部構成図である。図２では、外装部材１２３等の部材の図示を省略している。
【００１６】
スピーカ１１１は、外装部材１２３の内側において開口部１１０（図１参照）に対応した位置、すなわち開口部１１０の真下に配置されている。図２に示すように、スピーカ１１１は、保持部材としてのスピーカホルダ１１２に保持されている。スピーカ１１１の上部には、リング状の弾性部材１２４が貼り付けてある。スピーカ１１１には、折り曲げが自在なフレキシブル基板１１３が接続される。スピーカ１１１はフレキシブル基板１１３を介して、デジタルカメラ１０１に配設される回路基板１４０と電気的に接続され、スピーカ１１１は回路基板１４０からの制御信号によりその動作が制御される。また、フレキシブル基板１１３には、スピーカ１１１から回路基板１４０までの経路の途中にストロボ発光制御回路（不図示）等が形成される。
【００１７】
図３は、スピーカ１１１とフレキシブル基板１１３との接合部の縦断面図である。図３の上側に開口部１１０が位置する。図４は、フレキシブル基板１１３が接続されたスピーカ１１１の斜視図である。図５（ａ）は、スピーカ１１１の斜視図である。図５（ｂ）は、フレキシブル基板１１３の部分斜視図である。図４、図５（ａ）、（ｂ）はいずれも、スピーカ１１１の斜め裏側（開口部１１０の反対側）に相当する方向から見た図となる。
【００１８】
まず、図３、図５（ａ）に示すように、スピーカ１１１は、導電性のある筐体としての金属ケース１１７を有する。また、金属ケース１１７の半径方向中央部は下方に突出しており、その突出部の先端が、平坦で円形の下面１１７ａとなっている。金属ケース１１７は、下面１１７ａが下方を向くように配設される。下面１１７ａを有した上記突出部の周りの、下面１１７ａより１段高い位置にある環状部１３１に、２つの電気端子１２５、１２６が設けられる（図５（ａ））。本実施の形態では、電子部品がスピーカ１１１であるとしたので、電気端子１２５、１２６は制御信号を入力するための入力端子として構成される。
【００１９】
図３、図４、図５（ｂ）に示すように、フレキシブル基板１１３は、回路基板１４０（図２）に接続される側とは反対側の端部に固定部１１６を有する。固定部１１６は平面視でほぼ円形であり、回路基板側延設部１４１を通じて回路基板１４０に接続される。固定部１１６において、回路基板１４０に接続される側（回路基板側延設部１４１の側）とは反対の側の端部が先端部１１６ａとなっている。先端部１１６ａから、腕連結部１４２を介して２本の腕部１２０、１２１が延設形成されている。腕部１２０、１２１は、環状部１３１が呈する円弧形状に沿って円弧状に延出している。
【００２０】
図３、図５（ｂ）に示すように、固定部１１６の、金属ケース１１７の下面１１７ａに対向する側の面の一部には、カバーレイが剥がされてなる導電部としての銅箔露出部１１９が形成されている。銅箔露出部１１９の銅箔パターン（不図示）は、デジタルカメラ１０１の不図示のグランド（例えば、デジタルカメラ１０１の操作基板の接地パターン部）に接続されている。このグランド用の電気的経路は、スピーカ１１１の電気端子１２５、１２６を通じた制御信号の電気的経路とは別個に、互いに干渉しないように独立して確保される。
【００２１】
また、腕部１２０、１２１の先端において、銅箔露出部１１９と同じ側を向く部分には、半田付け部１１４、１１５が設けられている（図４、図５（ｂ）参照）。腕部１２０、１２１内には、制御信号を通す線（不図示）が配線されている。
【００２２】
図３に示すように、フレキシブル基板１１３の固定部１１６の銅箔露出部１１９は、スピーカ１１１の金属ケース１１７の下面１１７ａに、導電性の貼り付け材としての両面テープ１１８にて貼り付けられる。これにより、金属ケース１１７に固定部１１６の銅箔露出部１１９が両面テープ１１８を介して電気的に接続される。
【００２３】
さらに、腕部１２０の半田付け部１１４、腕部１２１の半田付け部１１５が、それぞれ電気端子１２５、１２６に半田付けされる。これにより、スピーカ１１１と回路基板１４０とが電気的に導通し、フレキシブル基板１１３を介して回路基板１４０からの制御信号がスピーカ１１１に入力され得るようになる。
【００２４】
このように、半田付け部１１４、１１５が電気端子１２５、１２６に半田付けされると共に、銅箔露出部１１９が金属ケース１１７に対して貼着されることで、固定部１１６がスピーカ１１１に電気的に接続されると共に物理的にも固定される。
【００２５】
このような構成としたので、開口部１１０から侵入した静電気がスピーカ１１１に印加されても、印加された静電気はフレキシブル基板１１３の銅箔露出部１１９に流れ込む。銅箔露出部１１９は上述のようにデジタルカメラ１０１のグランドに接続されているので、スピーカ１１１に印加された静電気はデジタルカメラ１０１のグランドに流れ込むこととなる。その結果、デジタルカメラ１０１は静電気による故障を免れることができる。
【００２６】
加えて、ストロボ発光制御回路等が形成されているフレキシブル基板１１３に、スピーカ１１１に接続するための半田付け部１１４、１１５と固定部１１６とを一体的に設けた。これにより、部品点数を削減した単純な構成となっており、組み立ての作業性も良い。しかも、固定部１１６に、グランドに接続した銅箔露出部１１９を露出させて設け、それを導電性の両面テープ１１８で金属ケース１１７に貼り付けるので、物理的固定と同時に静電気対策も行える。また、静電気を逃がす機能を、折り曲げが自在なフレキシブル基板１１３に設けたので、スピーカ１１１の姿勢の制限が小さくなり配置の自由度が高くなる。
【００２７】
よって、本実施の形態によれば、電子部品（スピーカ１１１）の配置の自由度を高めると共に静電気対策を簡便に行うことができる。
【００２８】
ところで仮に、固定部１１６を設けることなく半田付け部１１４、１１５と電気端子１２５、１２６との接続だけでフレキシブル基板１１３をスピーカ１１１に接続したとする。すると、カメラの組み立ての際に、スピーカ１１１の重量によって半田付け部分に負荷がかかり、断線するおそれがある。
【００２９】
ところが本実施の形態では、固定部１１６がスピーカ１１１に固定されるので、デジタルカメラ１０１の組み立ての際に半田付け部１１４、１１５に強い力が加わることがない。そのため、半田付け部１１４、１１５が電気端子１２５、１２６から剥れてしまうことが回避される。
【００３０】
さらには、腕部１２０、１２１は、固定部１１６における、回路基板１４０に接続される側とは反対の側（先端部１１６ａ）から延設される。従って、仮にスピーカ１１１をフレキシブル基板１１３に取り付けた後にフレキシブル基板１１３の回路基板側延設部１４１に力が加わったとしても、その力は主に両面テープ１１８に加わり半田付け部１１４、１１５にはほとんど加わらない。これにより、スピーカ１１１とフレキシブル基板１１３との固定後においても、半田付け部１１４、１１５が電気端子１２５、１２６から剥れてしまうことが回避される。このように、半田付け部１１４、１１５へのストレスを軽減し、電気的接続状態を安定維持することができる。
【００３１】
（第２の実施の形態）
本発明の第２の実施の形態では、第１の実施の形態に対してフレキシブル基板の構成が異なり、その他の構成は同様である。
【００３２】
図６（ａ）は、本発明の第２の実施の形態に係る電子機器におけるフレキシブル基板が接続されたスピーカの斜視図である。図６（ｂ）は、両面テープ１１８を貼り付けた状態のフレキシブル基板の固定部の平面図であり、スピーカ１１１の金属ケース１１７の下面１１７ａに対向する側から見ている。図６において、第１の実施の形態と同じ構成要素には同じ符号が付されている。
【００３３】
第２の実施の形態におけるフレキシブル基板２１３は、固定部２１６を有し、固定部２１６は、回路基板側延設部２４１を通じて回路基板１４０（図２）に接続される。上記した第１の実施の形態では、腕部１２０、１２１は固定部１１６の先端部１１６ａから延設されたが、第２の実施の形態では、回路基板側延設部２４１から２本の腕部２２０、２２１が延設される。すなわち、第１の実施の形態に対し、腕部２２０、２２１の延設される基部（根元）の位置が異なっている。
【００３４】
腕部２２０、２２１の各先端に半田付け部１１４、１１５が設けられる。腕部２２０、２２１は、平面視略円形の固定部２１６を囲むように、スピーカ１１１の環状部１３１が呈する円弧形状にほぼ沿って円弧状に延出している。半田付け部１１４、１１５が電気端子１２５、１２６（図５（ａ））に半田付けされる。
【００３５】
固定部２１６には、上記した第１の実施の形態における固定部１１６の銅箔露出部１１９と同様の銅箔露出部２１９が形成されている。銅箔露出部２１９の銅箔パターン（不図示）は、銅箔露出部１１９と同様にデジタルカメラ１０１の不図示のグランドに接続されている。銅箔露出部２１９は、スピーカ１１１の金属ケース１１７の下面１１７ａに導電性を有する両面テープ１１８にて貼り付けられる。固定部２１６やフレキシブル基板２１３におけるその他の部分の構成は、固定部１１６やフレキシブル基板１１３と同様である。
【００３６】
図６（ｂ）に示すように、半田付け部１１４、１１５の位置が回路基板側延設部２４１から十分に離れた位置となるよう、腕部２２０、２２１の長さが設定される。すなわち、腕部２２０、２２１の根元からの間隔が、両面テープ１１８よりも半田付け部１１４、１１５の方が大きくなっている。
【００３７】
これを具体的に表現すると次のようになる。まず、回路基板側延設部２４１からの腕部２２０の分岐点２２７から、近い方の半田付け部である半田付け部１１４までの最短距離をＢ１とする。また、回路基板側延設部２４１からの腕部２２１の分岐点２２８から、近い方の半田付け部である半田付け部１１５までの距離をＢ２とする。ここではＢ１＝Ｂ２であるとするので、これらを総称して距離Ｂと記す。分岐点２２７、２２８から、固定部２１６に貼り付けられた両面テープ１１８までの最短距離をＣとする。そして、距離Ｂと距離Ｃの間にはＢ＞Ｃの関係が成り立っている。Ｂ１＝Ｂ２でない場合でも、それぞれ、Ｂ１＞Ｃ、Ｂ２＞Ｃの関係が成り立つとする。
【００３８】
このような長さ設定により、スピーカ１１１をフレキシブル基板２１３に取り付けた後にフレキシブル基板２１３の回路基板側延設部２４１に力が加わったとしても、その力は主に両面テープ１１８に加わり半田付け部１１４、１１５にはほとんど加わらない。これにより、スピーカ１１１とフレキシブル基板２１３との固定後においても、半田付け部１１４、１１５が電気端子１２５、１２６から剥れてしまうことが回避される。
【００３９】
第１の実施の形態と同様に、開口部１１０から侵入した静電気がスピーカ１１１に印加されても、印加された静電気はフレキシブル基板２１３の銅箔露出部２１９に流れ込み、グランドに流れ込む。その結果、デジタルカメラ１０１は静電気による故障を免れることができる。
【００４０】
本実施の形態によれば、電子部品（スピーカ１１１）の配置の自由度を高めると共に静電気対策を簡便に行うことに関し、第１の実施の形態と同様の効果を奏することができる。それだけでなく、半田付け部１１４、１１５へのストレスを軽減し、電気的接続状態を安定維持すること、及び、部品点数を削減し、単純な構成で組み立ての作業性を向上させることに関しても、第１の実施の形態と同様の効果を奏することができる。
【００４１】
なお、半田付け部１１４、１１５へのストレスを軽減するという観点に限れば、腕部２２０、２２１の延設の基部（根元）の位置は、回路基板側延設部２４１に限られない。例えば、固定部２１６から腕部２２０、２２１を延設してもよい。ただし、腕部２２０、２２１が、固定部２１６における両面テープ１１８よりも回路基板１４０に接続される側寄りの位置から延設されるときは、上記のようにＢ＞Ｃの関係が成り立つようにする。
【００４２】
（第３の実施の形態）
本発明の第３の実施の形態では、第２の実施の形態に対して、フレキシブル基板の構成が異なり、その他の構成は同様である。
【００４３】
図７（ａ）は、本発明の第３の実施の形態に係る電子機器におけるフレキシブル基板が接続されたスピーカの斜視図である。図７（ｂ）は、スピーカ１１１とフレキシブル基板との接合部の縦断面図である。図７において、第２の実施の形態と同じ構成要素には同じ符号が付されている。
【００４４】
図７（ｂ）に示すように、外装部材１２３の内側に、保持部材としてのスピーカホルダ１１２が配設される。スピーカ１１１は、外装部材１２３の開口部１１０が形成される部分とスピーカホルダ１１２との間に配設される。スピーカ１１１の上部に貼り付けられているリング状の弾性部材１２４の上面は、外装部材１２３の内側面１２３ａに対向している。
【００４５】
フレキシブル基板３１３は、固定部３１６及び押し付け部３２２を有する。固定部３１６は、回路基板側延設部２４１を通じて回路基板１４０（図２）に接続される。図７（ｂ）には現れていないが、上記した第２の実施の形態と同様に、回路基板側延設部２４１から２本の腕部２２０、２２１が延設され、腕部２２０、２２１の各先端に半田付け部１１４、１１５が設けられている（図７（ａ）参照）。そして、半田付け部１１４、１１５が電気端子１２５、１２６に半田付けされる。固定部３１６には、第２の実施の形態における固定部２１６と同様に、不図示のグランドに接続される銅箔露出部２１９が形成されている。
【００４６】
押し付け部３２２は、固定部３１６の先端部３１６ａから延設される。すなわち、先端部３１６ａから延びる部分が折り曲げ部３２３で弾性的に折り曲げられることによって押し付け部３２２が設けられる。押し付け部３２２は、固定部３１６に対して銅箔露出部２１９が設けられる面とは反対の側（裏側乃至下側）から対向する。
【００４７】
従って、配置関係は、外装部材１２３の内側面１２３ａに近い側から順に、弾性部材１２４、スピーカ１１１、固定部３１６、押し付け部３２２となっている。折り曲げ部３２３及び押し付け部３２２は、弾性力を発揮できればよく、電気的導通の機能を有することは必須でない。
【００４８】
組み立て状態においては、押し付け部３２２は、スピーカホルダ１１２の水平な保持面１１２ａに弾性的に当接している（図７（ｂ））。これにより、折り曲げ部３２３の弾性によって、固定部３１６及びスピーカ１１１を介して弾性部材１２４が外装部材１２３の内側面１２３ａに押し付けられるようになっている。その結果、弾性部材１２４は内側面１２３ａに密着している。
【００４９】
このような構成とすることにより、スピーカ１１１から発した音が外装部材１２３の内側に漏れ出ることが抑制され、開口部１１０からデジタルカメラ１０１の外部にスピーカ１１１からの音を効率よく発することができる。その他の効果は第２の実施の形態と同様である。
【００５０】
なお、本実施の形態において、押し付け部３２２を設けて、音が外装部材１２３の内側に漏れ出ることを抑制するという観点からは、第１の実施の形態の構成を組み合わせてもよい。すなわち、腕部が延設される基部（根元）の位置を、回路基板側延設部２４１ではなく固定部３１６の先端部３１６ａあるいはその近傍としてもよい。
【００５１】
上記各実施の形態において、電子機器としてデジタルカメラを例にとったが、これに限られず、電子部品の静電気対策が必要とされるような携帯電話等の各種の電子機器に本発明を適用可能である。また、静電気対策が必要とされる電子部品としてスピーカ１１１を例示したが、これに限られず、ブザーやマイク等の、スピーカ以外の音響電子部品やその他の電子部品にも本発明を適用可能である。
【００５２】
また、スピーカ１１１と回路基板１４０とを接続するフレキシブル基板１１３等にストロボ発光制御回路が形成されている例を示したが、電源回路等、ストロボ発光制御回路以外の他の用途の回路が形成されていても良い。また、フレキシブル基板１１３等は、スピーカ１１１と回路基板１４０との間で制御信号とグランド信号を通すことだけを役割とした構成としても良い。
【００５３】
フレキシブル基板１１３等で電気的に接続される電子部品と回路基板との関係においては、電気信号の入力及び／又は出力を行うものであればよい。従って、電子部品の電気端子は、その電子部品に応じた端子であればよく、入力端子に限られず、出力端子、あるいは入出力端子であってもよい。
【００５４】
また、腕部の数は問わず、３本以上であってもよい。あるいは、１本に２つの半田付け部を設けてもよい。
【００５５】
また、固定部１１６等とスピーカ１１１の金属ケース１１７とを貼着する貼り付け材として、導電性の両面テープを採用したが、これに限られない。例えば、導電性接着剤等、導電性を有する他の貼り付け材を用いても良い。
【００５６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５７】
１１０  開口部
１１１  スピーカ
１１３、２１３、３１３  フレキシブル基板
１１４、１１５  半田付け部
１１６、２１６、３１６  固定部
１１８  両面テープ
１１９、２１９  銅箔露出部
１２０、１２１、２２０、２２１  腕部
１２５、１２６  電気端子
１４０  回路基板
【図１】
2012255990.tif 000003
【図２】
2012255990.tif 000004
【図３】
2012255990.tif 000005
【図４】
2012255990.tif 000006
【図５】
2012255990.tif 000007
【図６】
2012255990.tif 000008
【図７】
2012255990.tif 000009